(57)【要約】【課題】回転軸の第１端及び第２端がそれぞれ機外に取り出されたピストン式圧縮機において、回転軸の両端側に設けられた両軸封部材の冷却効率及び潤滑効率の向上を容易に図り得るピストン式圧縮機を提供する。【解決手段】ハウジング内には回転軸１６の前端１６ａ側の周囲に、第１軸封部材５０の機内側が臨む第１潤滑室５１が形成されている。また、ハウジング内には回転軸１６の後端１６ｂ側の周囲に、第２軸封部材５２の機内側が臨む第２潤滑室５３が形成されている。回転軸１６内には軸線Ｌ方向に沿って軸内通路５５が形成されている。軸内通路５５の前端１６ａ側は第１潤滑室５１を介してクランク室１５に連通され、軸内通路５５の後端１６ｂ側は第２潤滑室５３を介して吸入室４０に連通されている。【選択図】        図１
2004324590.tif 000002
【特許請求の範囲】
【請求項１】
冷凍サイクルを構成する冷媒圧縮用のピストン式圧縮機であって、シリンダブロックのボアに収容されて圧縮室を区画する片頭型のピストンと、ハウジングに回転可能に支持された回転軸と、ハウジング内のクランク室に収容され回転軸の回転をピストンの往復動に変換するクランク機構と、ハウジング内においてシリンダブロックに対してクランク室とは反対側に形成され外部冷媒回路からの冷媒ガスを圧縮室に導入するための吸入室と、回転軸においてクランク室側の第１端及び吸入室側の第２端はそれぞれ機外に取り出されていることと、ハウジングに備えられ回転軸の第１端側を封止する第１軸封部材と、ハウジングに備えられ回転軸の第２端側を封止する第２軸封部材とからなるピストン式圧縮機において、
前記ハウジング内には回転軸の第１端側の周囲に、第１軸封部材の機内側が臨む第１潤滑室が形成され、ハウジング内には回転軸の第２端側の周囲に、第２軸封部材の機内側が臨む第２潤滑室が形成され、回転軸内には軸線方向に沿って軸内通路が形成され、軸内通路において回転軸の第１端側は第１潤滑室を介してクランク室に連通され、軸内通路において回転軸の第２端側は第２潤滑室を介して吸入室に連通されているピストン式圧縮機。
【請求項２】
前記第２潤滑室は吸入室から隔離して形成されており、第２潤滑室と吸入室とは絞り通路を介して連通されている請求項１に記載のピストン式圧縮機。
【請求項３】
前記回転軸において軸内通路上には、冷媒ガスから潤滑油を分離してクランク室に供給するオイルセパレータが配設されている請求項１又は２に記載のピストン式圧縮機。
【請求項４】
前記冷凍サイクルは車両の空調装置を構成し、回転軸の第１端及び第２端の一方には車両の走行駆動源たるエンジンが作動連結されているとともに、第１端及び第２端の他方には電動モータが作動連結されている請求項１〜３のいずれかに記載のピストン式圧縮機。
【請求項５】
前記クランク機構は、クランク室の圧力調節に応じてピストンのストロークを変更可能な容量可変構造を有しており、クランク室から吸入室への第１潤滑室及び軸内通路並びに第２潤滑室を同順に経由する冷媒経路は、クランク室の調圧に関与されている請求項１〜４のいずれかに記載のピストン式圧縮機。
【発明の詳細な説明】
【０００１】
【発明の属する技術分野】
本発明は、冷凍サイクルを構成する冷媒圧縮用のピストン式圧縮機に関する。
【０００２】
【従来の技術】
従来、車両空調装置の冷凍サイクルを構成する冷媒圧縮機として、車両の走行駆動源であるエンジンと、電動モータとを駆動源とするものが存在する。このような圧縮機としては、例えば、特許文献１に示すようなものが存在する。
【０００３】
即ち、この圧縮機は、圧縮機構を収容するためのハウジングを備えている。そして、このハウジングにおいて回転可能に支持された回転軸の両端は、機外に取り出されている。この回転軸は、前記圧縮機構を駆動するためのものである。機外に取り出された前記回転軸の一端には、エンジンからの動力が入力されるプーリが機外において作動連結されている。また、機外に取り出された前記回転軸の他端には、電動モータが機外において作動連結されている。
【０００４】
このような、機外において電動モータが作動連結された圧縮機においては、例えば、電動モータをハウジングに内蔵した（機内に設けた）態様と比較して、ハウジングの小型化が可能となる。また、圧縮機構が既に収容された状態のハウジングに対して、例えばこれとは別の工程で組み立てられた電動モータを後工程で組付けることが可能となり、該電動モータの交換作業やメンテナンスも容易となる。
【０００５】
【特許文献１】
特開２００２−８１３７５号公報（第３，５頁、第１図）
【０００６】
【発明が解決しようとする課題】
一般に、前述のような、回転軸の両端を機外に取り出した構成の圧縮機においては、ハウジングの気密性を高めるために、回転軸の両端側を封止する軸封部材を設ける必要がある。更に、軸封部材と回転軸との摺動性、シール性や軸封部材の耐久性等を良好とするために、軸封部材の潤滑や冷却を図ることが望ましい。そしてこの場合、前述の両軸封部材の潤滑や冷却を、如何に簡単な構成で行うかが課題となっている。
【０００７】
この軸封部材の潤滑や冷却を図るための構成としては、例えばハウジング内における冷媒の循環経路の途中に前記軸封部材を配置するなどしたものが周知である。しかしこの周知の構成は、回転軸の一端のみが機外に取り出され、この一端側を封止する軸封部材のみが設けられた圧縮機におけるものであった。つまり、前述のような、回転軸の両端が機外に取り出された構成において、その両端側に設けられた両軸封部材に関して潤滑や冷却が考慮されたものではなかった。
【０００８】
本発明の目的は、回転軸の第１端及び第２端がそれぞれ機外に取り出されたピストン式圧縮機において、回転軸の両端側に設けられた両軸封部材の冷却効率及び潤滑効率の向上を容易に図り得るピストン式圧縮機を提供することにある。
【０００９】
【課題を解決するための手段】
上記目的を達成するために請求項１の発明は、ハウジング内には回転軸の第１端側の周囲に、第１軸封部材の機内側が臨む第１潤滑室が形成されている。また、ハウジング内には回転軸の第２端側の周囲に、第２軸封部材の機内側が臨む第２潤滑室が形成されている。回転軸内には軸線方向に沿って軸内通路が形成されている。軸内通路において回転軸の第１端側は第１潤滑室を介してクランク室に連通されている。また、軸内通路において回転軸の第２端側は第２潤滑室を介して吸入室に連通されている。
【００１０】
この発明によれば、クランク室から吸入室への第１潤滑室及び軸内通路並びに第２潤滑室を同順に経由した冷媒ガス流によって、両軸封部材の冷却が良好に行われ得るとともに、冷媒ガスに混在されている潤滑油による両軸封部材の潤滑が良好に行われ得る。
【００１１】
例えば、前記両潤滑室を互いに連通する通路を、本発明のような回転軸内ではなくハウジングに設ける場合、クランク機構等を避けるように、且つ、シリンダブロックを跨ぐようにして前記通路を取り回しする必要があるため、該通路が長くなりがちであるとともに、ハウジングの構造が複雑になる。しかし前記回転軸に設けた本発明の軸内通路は、両潤滑室間をほぼ直線的に連通、即ち、ほぼ最短距離で連通することを可能とするとともに、ハウジングの構造の複雑化防止を可能とする。両潤滑室間の通路距離の短縮化は、両潤滑室間における冷媒ガスの流動効率の向上、ひいては、両軸封部材の冷却効率、及び、潤滑効率の向上に寄与する。
【００１２】
請求項２の発明は請求項１において、第２潤滑室は吸入室から隔離して形成されており、第２潤滑室と吸入室とは絞り通路を介して連通されている。
この発明によれば、互いに隔離して形成された第２潤滑室と吸入室とが絞り通路を介して連通されているため、例えば、吸入室を第２潤滑室として利用した態様と比較して、ピストンの往復動等に伴って吸入室内で生じた圧力変動の影響を第２軸封部材が受け難くなる。従って、第２軸封部材による回転軸の軸封が安定して行われるようになる。
【００１３】
請求項３の発明は請求項１又は２において、回転軸において軸内通路上には、冷媒ガスから潤滑油を分離してクランク室に供給するオイルセパレータが配設されている。
【００１４】
この発明によれば、第１潤滑室から第２潤滑室への過度な潤滑油供給を防止できる。従って、吸入室への過度な潤滑油供給を防止でき、ひいては、吐出冷媒とともに外部冷媒回路に排出される潤滑油量を減らしつつ、クランク室を潤滑することが可能となる。外部冷媒回路に排出される潤滑油量の低減は、該外部冷媒回路における熱交換効率の向上に寄与する。
【００１５】
請求項４の発明は請求項１〜３のいずれかにおいて、好適なピストン式圧縮機の態様について言及するものである。即ち、冷凍サイクルは車両の空調装置を構成し、回転軸の第１端及び第２端の一方には車両の走行駆動源たるエンジンが作動連結されているとともに、第１端及び第２端の他方には電動モータが作動連結されている。
【００１６】
請求項５の発明は請求項１〜４のいずれかにおいて、好適なピストン式圧縮機の態様について言及するものである。即ち、クランク機構は、クランク室の圧力調節に応じてピストンのストロークを変更可能な容量可変構造を有している。クランク室から吸入室への第１潤滑室及び軸内通路並びに第２潤滑室を同順に経由する冷媒経路は、クランク室の調圧に関与されている。これによれば、クランク室から吸入室への第１潤滑室及び軸内通路並びに第２潤滑室を同順に経由した冷媒経路において、クランク室の調圧に関与して積極的に形成された冷媒ガス流に基づいて、両軸封部材の冷却及び潤滑が行われる。
【００１７】
【発明の実施の形態】
以下に、本発明を、車両用空調装置を構成する冷凍サイクルに用いられるピストン式圧縮機に具体化した一実施形態について説明する。なお、図１において左方をピストン式圧縮機の前方とし右方を後方とする。
【００１８】
図１に示すように、ピストン式圧縮機（以下、単に圧縮機という）ＣＰのハウジングは、シリンダブロック１１と、その前端に接合固定されたフロントハウジング１２と、シリンダブロック１１の後端に弁・ポート形成体１３を介して接合固定されたリヤハウジング１４とからなっている。
【００１９】
前記シリンダブロック１１とフロントハウジング１２とで囲まれた領域には、クランク室１５が区画されている。回転軸１６は、クランク室１５を挿通するようにして、シリンダブロック１１及びフロントハウジング１２に回転可能に支持されている。回転軸１６は、シリンダブロック１１及びフロントハウジング１２において、滑り軸受部１１ａ，１２ａを以て支持されている。ラグプレート１７は、クランク室１５において回転軸１６に一体回転可能に固定されている。
【００２０】
前記クランク室１５には、カムプレートたる斜板１８が収容されている。斜板１８は、回転軸１６にスライド移動可能でかつ傾動可能に支持されている。ヒンジ機構１９は、ラグプレート１７と斜板１８との間に介在されている。従って、斜板１８は、ヒンジ機構１９を介したラグプレート１７との間でのヒンジ連結及び回転軸１６の支持により、ラグプレート１７及び回転軸１６と同期回転可能であると共に回転軸１６の軸線Ｌ方向へのスライド移動を伴いながら回転軸１６に対し傾動可能となっている。
【００２１】
複数（図面には一つのみ示す）のボア２０は、回転軸１６を取り囲むようにしてシリンダブロック１１に形成されている。片頭型のピストン２１は、各ボア２０に往復動可能に収容されている。ボア２０内にはピストン２１の往復動に応じて体積変化する圧縮室２２が区画されている。ピストン２１はシュー２３を介して斜板１８の周縁部に係留されており、回転軸１６の回転に伴う斜板１８の回転運動が、ピストン２１の往復運動に変換される。
【００２２】
前記弁・ポート形成体１３と、ハウジングの後壁部を構成するリヤハウジング１４とで囲まれた領域には、吸入室４０及び吐出室４１がそれぞれ区画形成されている。吸入室４０及び吐出室４１はそれぞれ環状を呈している。リヤハウジング１４の中心部には該リヤハウジング１４を前後方向に貫通するようにして貫通孔１４ａが形成されており、吸入室４０は貫通孔１４ａの外側を取り囲むようにして形成され、吐出室４１は吸入室４０の外側を取り囲むようにして形成されている。
【００２３】
前記吸入室４０と吐出室４１とは、冷凍サイクルを構成する外部冷媒回路３８を介して接続されている。吸入室４０の冷媒ガスは、各ピストン２１の上死点位置から下死点側への移動により、弁・ポート形成体１３に形成された吸入ポート４２及び吸入弁４３を介して圧縮室２２に吸入される。圧縮室２２に吸入された冷媒ガスは、ピストン２１の下死点位置から上死点側への移動により所定の圧力にまで圧縮され、弁・ポート形成体１３に形成された吐出ポート４４及び吐出弁４５を介して吐出室４１に吐出される。本実施形態において、ラグプレート１７、斜板１８、ヒンジ機構１９、及び、シュー２３はクランク機構を構成する。
【００２４】
前記斜板１８の傾斜角度は、圧縮室２２の圧力と、ピストン２１の背圧であるクランク室１５の圧力（クランク圧）との関係を変更することで調節可能となっている。本実施形態においては、クランク圧を積極的に変更することで、斜板１８の傾斜角度を調節するようになっている。
【００２５】
即ち、前記圧縮機ＣＰのハウジングには、給気通路６０、及び、制御弁６１が設けられている。給気通路６０は、吐出圧領域である吐出室４１とクランク室１５とを連通する。給気通路６０の途中には制御弁６１が配設されている。そして、制御弁６１の開度を調節することで、給気通路６０を介した吐出室４１からクランク室１５への高圧冷媒ガスの導入量が制御され、クランク圧が決定される。このクランク圧の変更に伴う斜板１８の傾斜角度の変更に応じて、ピストン２１のストローク即ち圧縮機ＣＰの吐出容量が調節される。つまり本実施形態のクランク機構は、所謂入れ側制御による容量制御を行う容量可変構造を有している。
【００２６】
例えば、前記制御弁６１の開度が減少してクランク圧が低下されると斜板１８の傾斜角度が増大し、圧縮機ＣＰの吐出容量が増大される。逆に、制御弁６１の開度が増大してクランク圧が上昇されると斜板１８の傾斜角度が減少し、圧縮機ＣＰの吐出容量が減少される。
【００２７】
前記回転軸１６の第１端たる前端１６ａは、フロントハウジング１２の前壁部１２ｂに設けられた貫通孔１２ｃを介して機外に取り出されている。回転軸１６においてこの前端１６ａには、機外においてワンウェイクラッチ２４を介してプーリ２５が作動連結されている。ワンウェイクラッチ２４は、一方向の回転に関し、プーリ２５から回転軸１６への動力伝達を許容し、且つ、回転軸１６からプーリ２５への動力伝達を遮断可能な構成とされている。
【００２８】
前記プーリ２５は、フロントハウジング１２の前壁部１２ｂに突出形成された支持筒部１２ｄに、ラジアルベアリング２６を介して回転可能に支持されている。プーリ２５は、ベルト２７を介して、車両の走行駆動源であるエンジンＥｇに作動連結されている。
【００２９】
また、前記回転軸１６の第２端たる後端１６ｂは、リヤハウジング１４の貫通孔１４ａを介して機外に取り出されている。回転軸１６においてこの後端１６ｂには、機外に配置された電動モータ３０が作動連結されている。
【００３０】
前記電動モータ３０は、ブラシ付ＤＣモータからなるものである。即ち、回転軸１６の後端１６ｂの外周側には、該回転軸１６の外周面上に設けられたラジアルベアリング３１及びワンウェイクラッチ３２を介して、電動モータ３０を構成するロータ３３が作動連結されている。ワンウェイクラッチ３２は、一方向の回転に関し、ロータ３３から回転軸１６への動力伝達を許容し、且つ、回転軸１６からロータ３３への動力伝達を遮断可能な構成とされている。
【００３１】
なお、本実施形態においてワンウェイクラッチ３２は、ロータ３３に対しては圧入によって結合され、回転軸１６に対してはキー結合されている。回転軸１６の後端１６ｂの外周面には、該回転軸１６に対するロータ３３の組付け作業時において、ロータ３３の前方への移動規制を図るための段差１６ｃが形成されている。前記組付け作業時においてワンウェイクラッチ３２が段差１６ｃと当接する位置までロータ３３が回転軸１６上で前方にスライド移動されることで、該回転軸１６に対するロータ３３の位置決めが容易になされるようになる。
【００３２】
前記ロータ３３には、コイル３３ａ及び整流子３３ｂが設けられている。また、リヤハウジング１４の後面（ハウジングの外面）１４ｂには、電動モータ３０を構成するステータ（永久磁石）３４が固定された環状のステータ支持部材３５が装着されている。ステータ３４はステータ支持部材３５において、ロータ３３を取り囲むようにして固定配置されている。電動モータ３０は、ステータ支持部材３５に装着され整流子３３ｂと摺接可能とされたブラシ装置３６を介してコイル３３ａに電力供給が行われることで、ロータ３３を回転させる。なお、ブラシ装置３６への電力供給は、ハウジングに固定された駆動回路（図示なし）を介して外部電源より行われる。
【００３３】
また、前記圧縮機ＣＰの機外においてリヤハウジング１４の後面１４ｂには、電動モータ３０を収容するモータケース３７が固定されている。モータケース３７には、該モータケース３７の内部と外部とを連通して電動モータ３０の放熱を行うための複数の換気孔３７ａが設けられている。
【００３４】
本実施形態の圧縮機ＣＰは、エンジンＥｇ及び電動モータ３０を駆動源とする。本実施形態では、エンジンＥｇを駆動源として回転軸１６を回転駆動する場合、電動モータ３０への電力供給が停止される。この状態では、ワンウェイクラッチ３２の動力伝達遮断作用により回転軸１６から電動モータ３０のロータ３３への動力伝達が行われず、ロータ３３の回転に伴うエネルギロスの発生が回避される。一方、電動モータ３０を駆動源として回転軸１６を回転駆動する場合には、ワンウェイクラッチ２４の動力伝達遮断作用により回転軸１６からプーリ２５への動力伝達が行われず、電動モータ３０の動力がエンジンＥｇ側へ不必要に伝達されてしまうことがない。
【００３５】
前記フロントハウジング１２の前壁部１２ｂにおいて、貫通孔１２ｃには、回転軸１６の前端１６ａ側の外周面と貫通孔１２ｃ内周面との隙間を封止するための第１軸封部材５０が収容されている。つまり第１軸封部材５０は、回転軸１６の前端１６ａ側で圧縮機ＣＰの機外と機内との間を封止する。第１軸封部材５０はリップシールからなる。貫通孔１２ｃにおいて第１軸封部材５０の機内側（図において右側）が臨む部分には、第１潤滑室５１が形成されている。第１潤滑室５１は、貫通孔１２ｃにおいて滑り軸受部１２ａの前方に位置する。第１潤滑室５１は、前壁部１２ｂに設けられた連通路５８を介してクランク室１５と連通されている。
【００３６】
前記リヤハウジング１４において貫通孔１４ａには、回転軸１６の後端１６ｂ側の外周面と貫通孔１４ａの内周面との隙間を封止するための第２軸封部材５２が収容されている。つまり第２軸封部材５２は、回転軸１６の後端１６ｂ側で圧縮機ＣＰの機外と機内との間を封止する。第２軸封部材５２はリップシールからなる。貫通孔１４ａにおいて第２軸封部材５２の機内側（図において左側）が臨む部分には、第２潤滑室５３が形成されている。第２潤滑室５３は、貫通孔１４ａにおいて弁・ポート形成体１３の後方に形成されている。
【００３７】
前記第２潤滑室５３は吸入室４０から隔離して形成された状態となっている。第２潤滑室５３と吸入室４０とは、該両室４０，５３を区画する隔壁に設けられた絞り通路５４を介して連通されている。
【００３８】
また、前記第１潤滑室５１と第２潤滑室５３とは、回転軸１６内において軸線Ｌ方向に沿って形成された軸内通路５５を介して連通されている。第１潤滑室５１において回転軸１６の外周面上には、第１軸封部材５０との接触部分近傍に、軸内通路５５の入口５５ａが開口されている。また、第２潤滑室５３において回転軸１６の外周面上には、第２軸封部材５２との接触部分近傍に、軸内通路５５の出口５５ｂが開口されている。
【００３９】
本実施形態では、連通路５８、第１潤滑室５１、軸内通路５５、第２潤滑室５３、及び、絞り通路５４によって構成される冷媒経路が、前述の容量制御におけるクランク圧の調圧に関与する。即ち、クランク圧は、給気通路６０を介した吐出室４１からクランク室１５への高圧冷媒ガスの導入量と、前記冷媒経路を介したクランク室１５から吸入室４０へのガス導出量とのバランスが制御されることで決定される。クランク室１５側から吸入室４０側に向けて前記冷媒経路内を通過する冷媒ガス、及び、冷媒ガスに混在された潤滑油は、第１軸封部材５０及び第２軸封部材５２の冷却、及び、潤滑に供される。
【００４０】
前記回転軸１６において軸内通路５５上には、オイルセパレータ５６が設けられている。オイルセパレータ５６は、軸内通路５５の一部分を、他の部分よりも拡径することで形成されている。オイルセパレータ５６は、軸内通路５５の内周面を伝う潤滑油を、前記拡径された内部に貯留するとともに、回転軸１６の回転に伴い給油孔５６ａを介してクランク室１５（回転軸１６外の領域）に供給する。
【００４１】
なお、前記回転軸１６は、該回転軸１６の前端１６ａ側を構成する部材と、後端１６ｂ側を構成する部材とが互いに溶接によって接合されることで形成されている。図中の実線５７は、前述の両構成部材の接合部分を示している。軸内通路５５（入口５５ａ及び出口５５ｂを除く）及びオイルセパレータ５６は、前記両構成部材が未接合の状態において、それぞれ実線５７に対応する各構成部材の端面からドリル加工が施されることで形成される。
【００４２】
本実施形態では、以下のような作用効果を得ることができる。
（１）ハウジング内において回転軸１６の前端１６ａ側の周囲に第１潤滑室５１を形成し、回転軸１６の後端１６ｂ側の周囲に第２潤滑室５３を形成した。また、回転軸１６内に形成した軸内通路５５の前端１６ａ側を第１潤滑室５１を介してクランク室１５に連通し、軸内通路５５の後端１６ｂ側を第２潤滑室５３を介して吸入室４０に連通した。
【００４３】
これによれば、クランク室１５から吸入室４０への第１潤滑室５１及び軸内通路５５並びに第２潤滑室５３を同順に経由した冷媒ガス流によって、両軸封部材５０，５２の冷却が良好に行われ得るとともに、冷媒ガスに混在されている潤滑油による両軸封部材５０，５２の潤滑が良好に行われ得る。
【００４４】
例えば、前記両潤滑室５１，５３を互いに連通する通路を、本実施形態のような回転軸１６内ではなくハウジングに設ける場合、クランク機構等を避けるように、且つ、シリンダブロック１１を前後に跨ぐようにして前記通路を取り回しする必要がある。そのため、前記通路が長くなりがちであるとともに、ハウジングの構造が複雑になる。しかし回転軸１６に設けた本実施形態の軸内通路５５は、両潤滑室５１，５３間をほぼ直線的に連通、即ち、ほぼ最短距離で連通することを可能とするとともに、ハウジングの構造の複雑化防止を可能とする。両潤滑室５１，５３間の通路距離の短縮化は、両潤滑室５１，５３間における冷媒ガスの流動効率の向上、ひいては、両軸封部材５０，５２の冷却効率、潤滑効率の向上、及び、容量可変構造における容量制御性の向上に寄与する。
【００４５】
（２）第２潤滑室５３は吸入室４０から隔離して形成されており、第２潤滑室５３と吸入室４０とは絞り通路５４を介して連通されている。これによれば、例えば、吸入室４０と第２潤滑室５３とを区画する隔壁を取り除き、吸入室４０を第２潤滑室５３として（言い換えれば第２潤滑室５３を吸入室４０として）利用した態様と比較して、ピストン２１の往復動等に伴って吸入室４０内で生じた圧力変動の影響を第２軸封部材５２が受け難くなる。従って、第２軸封部材５２による回転軸１６の軸封が安定して行われるようになる。
【００４６】
（３）回転軸１６において軸内通路５５上には、冷媒ガスから潤滑油を分離してクランク室１５に供給するオイルセパレータ５６が配設されている。これによれば、第１潤滑室５１から第２潤滑室５３への過度な潤滑油供給を防止できる。従って、吸入室４０への過度な潤滑油供給を防止でき、ひいては、圧縮室２２及び吐出室４１を介して外部冷媒回路３８に排出される潤滑油量を減らしつつ、クランク室１５を潤滑することが可能となる。外部冷媒回路３８に排出される潤滑油量の低減は、該外部冷媒回路３８における熱交換効率の向上に寄与する。
【００４７】
なお、本発明の趣旨から逸脱しない範囲で例えば以下の態様でも実施できる。○  図２に示すように、前記回転軸１６を、前側軸７０と後側軸７１との２つの軸部材で構成してもよい。
【００４８】
この構成において、前側軸７０の後端部は第２潤滑室５３に収容されている。前側軸７０には、軸内通路７２を構成する部分通路７２ａが形成されている。部分通路７２ａの前端（図示なし）は、前記実施形態の軸内通路５５と同様に、第１潤滑室５１に連通されている。また、部分通路７２ａの後端は、前側軸７０の後端面７０ａに開口されている。
【００４９】
前記後側軸７１の前端部は、第２潤滑室５３に収容されるとともに、前側軸７０の後端部の外周側を取り囲む内周面を有する円筒状に形成されている。この内周面によって取り囲まれた後側軸７１の内部空間は、軸内通路７２を構成する部分通路７２ｂをなす。
【００５０】
前記前側軸７０と後側軸７１とは、後側軸７１の前記内周面と、該内周面に取り囲まれた前側軸７０の外周面との間に設けられたワンウェイクラッチ７３を介して作動連結されている。このワンウェイクラッチ７３は、一方向の回転に関し、後側軸７１から前側軸７０への動力伝達を許容し、且つ、前側軸７０から後側軸７１への動力伝達を遮断可能な構成とされている。後側軸７１の後端部外周面上には、電動モータ３０を構成するロータ３３が一体回転可能に固定されている。
【００５１】
この構成では、第１潤滑室５１の冷媒ガスが、前側軸７０の部分通路７２ａを介して後側軸７１の部分通路７２ｂに導入され、ワンウェイクラッチ７３の隙間を介して第２潤滑室５３に導入される。この冷媒ガスの流動に伴い、両軸封部材５０，５２、及び、ワンウェイクラッチ７３の冷却及び潤滑が行われる。
【００５２】
○  前記実施形態において吸入室４０と第２潤滑室５３とを区画する隔壁を取り除き、吸入室４０を第２潤滑室５３として（言い換えれば第２潤滑室５３を吸入室４０として）利用するようにしてもよい。
【００５３】
○  前記オイルセパレータ５６は、必ずしも設けられる必要はない。
○  前記電動モータ３０は、ブラシ付ＤＣモータに限定されない。例えば、ユニバーサルモータ等のブラシ付モータを採用してもよく、誘導モータやリラクタンスモータ（ＳＲモータを含む）等の回転磁界型の電動モータを採用してもよい。
【００５４】
○  回転軸１６の前端１６ａに電動モータ３０を、後端１６ｂにエンジンＥｇを作動連結してもよい。
○  例えば、電動モータ３０に代えて、発電機等の被駆動機械を回転軸１６に作動連結してもよい。
【００５５】
○  前記実施形態では、圧縮機ＣＰを吐出容量可変タイプのものとしたが、吐出容量が一定とされた固定容量タイプのものとしてもよい。
【００５６】
【発明の効果】
以上詳述したように、請求項１〜５に記載の発明によれば、回転軸の第１端及び第２端がそれぞれ機外に取り出されたピストン式圧縮機において、回転軸の両端側に設けられた両軸封部材の冷却効率及び潤滑効率の向上を容易に図り得る。
【図面の簡単な説明】
【図１】ピストン式圧縮機の概要を示す断面図。
【図２】別例のピストン式圧縮機を示す断面部分図。
【符号の説明】
１１…ハウジングを構成するシリンダブロック、１２…同じくフロントハウジング、１４…同じくリヤハウジング、１５…クランク室、１６…回転軸、１６ａ…回転軸の第１端としての前端、１６ｂ…回転軸の第２端としての後端、１７…クランク機構を構成するラグプレート、１８…同じく斜板、１９…同じくヒンジ機構、２０…ボア、２１…ピストン、２２…圧縮室、２３…クランク機構を構成するシュー、３０…電動モータ、３８…冷凍サイクルを構成する外部冷媒回路、４０…吸入室、５０…第１軸封部材、５１…第１潤滑室、５２…第２軸封部材、５３…第２潤滑室、５４…絞り通路、５５，７２…軸内通路、５６…オイルセパレータ、ＣＰ…冷凍サイクルを構成するピストン式圧縮機、Ｅｇ…エンジン、Ｌ…回転軸の軸線。
【図１】
2004324590.tif 000003
【図２】
2004324590.tif 000004